(57)【要約】【課題】過去に実施した催事の中から所望の催事の催事効果を、簡便に把握できるようにすること。【解決手段】管理装置１２０は、遊技者が催事対象条件を満たしている催事を特定する対象催事特定手段１２２と、該特定した催事の来店状況情報を集計する来店状況情報集計手段１２２と、当該催事の来店状況情報を更新する来店状況情報更新手段１２２と、前記催事関連情報に関する抽出条件を受付けるための抽出条件受付け手段１２７と、該受付けた抽出条件に合致する催事を抽出する抽出手段１２２と、該抽出した催事に対応して記憶されている来店状況情報を出力する出力手段１２７と、を備える。【選択図】    図１１
2004216063.tif 000002
【特許請求の範囲】
【請求項１】
遊技者を個々に特定可能な遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置と、
遊技機に対応して設けられ、前記遊技者特定情報が記録された記録媒体を受付けて該記録情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、
前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、
該対象催事特定手段にて特定した催事の来店状況情報を集計する来店状況情報集計手段と、
該来店状況情報集計手段による集計結果に基づいて、前記催事情報記憶手段に記憶されている当該催事の来店状況情報を更新する来店状況情報更新手段と、
前記催事関連情報に関する抽出条件を受付けるための抽出条件受付け手段と、
該抽出条件受付け手段にて受付けた抽出条件に合致する催事を前記催事情報記憶手段に記憶されている各催事から抽出する抽出手段と、
前記催事情報記憶手段に記憶されている該抽出手段にて抽出した催事の来店状況情報を出力する出力手段と、
を備えることを特徴とする遊技用システム。
【請求項２】
前記催事情報記憶手段は、各催事における催事対象者への特典付与状況情報を各催事毎に記憶し、
前記管理装置は、
前記対象催事特定手段にて特定した催事の特典が、当該催事の対象者に付与されたか否か判定する特典付与判定手段と、
該特典付与判定手段の判定結果に基づいて、各催事における特典付与状況情報を各催事毎に集計する特典付与状況情報集計手段と、
該特典付与状況情報集計手段による集計結果に基づいて、前記催事情報記憶手段に記憶されている当該催事の特典付与状況情報を更新する特典付与状況情報更新手段と、
を備え、
前記出力手段は、前記催事情報記憶手段に記憶されている前記抽出手段にて抽出した催事の特典付与状況情報を出力する請求項１に記載の遊技用システム。
【請求項３】
前記来店状況情報集計手段並びに特典付与状況情報集計手段は、前記来店状況情報並びに特典付与状況情報を、前記遊技者特定情報を送信してきた遊技用装置が対応する遊技機の機種毎に集計し、前記催事情報記憶手段は、前記来店状況情報および特典付与状況情報を前記遊技機の機種毎に記憶する請求項２に記載の遊技用システム。
【請求項４】
前記来店状況情報集計手段並びに特典付与状況情報集計手段は、前記来店状況情報並びに特典付与状況情報を所定の時間帯別に集計し、前記催事情報記憶手段は、前記来店状況情報および特典付与状況情報を前記所定の時間帯毎に記憶する請求項２または３に記載の遊技用システム。
【請求項５】
前記管理装置は、前記送信手段から送信されてきた前記遊技者特定情報に基づいて、該遊技者特定情報に対応する遊技者の同一営業日における来店履歴を記憶するための来店履歴記憶手段を備え、
前記来店状況情報集計手段は、前記送信手段から送信されてきた前記遊技者特定情報に対応する遊技者の来店履歴が、前記来店履歴記憶手段に既に存在するときには、来店状況情報の集計に該遊技者の来店を加えない請求項１〜４のいずれかに記載の遊技用システム。
【発明の詳細な説明】
【０００１】
【発明の属する技術の分野】
本発明は、遊技場において実施された催事（イベント）の効果を簡便に把握することのできる遊技用システムに関する。
【０００２】
【従来の技術】
遊技場においては、遊技客へのサービス向上とともに、売上向上を目的として、各種の催事（イベント）が開催されている。これら催事を開催した場合には、その効果、すなわち催事の開催によりどの程度の集客効果が得られたかを把握する必要があるため、催事対象者の来店状況を集計し、集計結果を各催事毎に表示出力することで、催事効果を把握できるようにしたものがある。（特許文献１）。
【０００３】
【特許文献１】
特開２００２−１６３４３２号公報
【０００４】
【発明が解決しようとする課題】
しかしながら、前記特許文献１に示される管理装置において、新たに開催する催事を検討しようとする場合、例えば、○曜日や△△祝日には、どのような遊技者を対象とした催事を開催するのが良いか等を検討する場合には、過去に実施した各催事の催事効果を各催事毎に出力し、該出力した各催事の催事効果を人為的に比較検討する必要があるため、これらの作業が非常に煩雑であるばかりか、長期間のデータに基づく検討は、出力される催事の数が膨大なものになるため、人為的に詳細な検討を実施することが非常に困難であるという問題があった。
【０００５】
よって、本発明は上記した問題点に着目してなされたもので、新規の催事を検討する場合において有用となる催事効果を、過去に実施した催事の中から簡便に把握することのできる遊技用システムを提供することを目的としている。
【０００６】
【課題を解決するための手段】
前記した問題を解決するために、本発明の遊技用システムは、遊技者を個々に特定可能な遊技者特定情報に対応付けて該遊技者に関する遊技者関連情報が記憶された遊技者関連情報記憶手段と、催事対象者となる条件を含む催事関連情報を設定するための催事関連情報設定手段と、少なくとも該催事関連情報設定手段にて設定された催事関連情報および各催事における催事対象者の来店状況情報を各催事毎に記憶する催事情報記憶手段と、を有する管理装置と、
遊技機に対応して設けられ、前記遊技者特定情報が記録された記録媒体を受付けて該記録情報の読み出しを行う読み出し手段と、該読み出し手段により読み出された前記遊技者特定情報を前記管理装置に送信する送信手段とを備える遊技用装置と、
から成る遊技用システムにおいて、
前記管理装置は、
前記送信手段から送信されてきた前記遊技者特定情報と前記遊技者関連情報記憶手段の記憶情報に基づいて、該遊技者が前記催事情報記憶手段に記憶されている催事対象条件を満たしている催事を特定する対象催事特定手段と、
該対象催事特定手段にて特定した催事の来店状況情報を集計する来店状況情報集計手段と、
該来店状況情報集計手段による集計結果に基づいて、前記催事情報記憶手段に記憶されている当該催事の来店状況情報を更新する来店状況情報更新手段と、
前記催事関連情報に関する抽出条件を受付けるための抽出条件受付け手段と、
該抽出条件受付け手段にて受付けた抽出条件に合致する催事を前記催事情報記憶手段に記憶されている各催事から抽出する抽出手段と、
前記催事情報記憶手段に記憶されている該抽出手段にて抽出した催事の来店状況情報を出力する出力手段と、
を備えることを特徴としている。
この特徴によれば、前記抽出条件受付け手段にて抽出条件を指定することで、過去に開催した催事の中から指定した抽出条件に合致する催事が抽出されて、該抽出された催事の来店状況が前記出力手段に出力されるようになるため、新規の催事を検討する上で、有用な情報を簡便に把握することができる。
【０００７】
本発明の遊技用システムの前記催事情報記憶手段は、各催事における催事対象者への特典付与状況情報を各催事毎に記憶し、
前記管理装置は、
前記対象催事特定手段にて特定した催事の特典が、当該催事の対象者に付与されたか否か判定する特典付与判定手段と、
該特典付与判定手段の判定結果に基づいて、各催事における特典付与状況情報を各催事毎に集計する特典付与状況情報集計手段と、
該特典付与状況情報集計手段による集計結果に基づいて、前記催事情報記憶手段に記憶されている当該催事の特典付与状況情報を更新する特典付与状況情報更新手段と、
を備え、
前記出力手段は、前記催事情報記憶手段に記憶されている前記抽出手段にて抽出した催事の特典付与状況情報を出力することが好ましい。
このようにすれば、前記抽出条件受付け手段にて指定した抽出条件に合致する催事の来店状況情報のみならず、実際に催事の特典が付与された特典付与状況情報をも把握できるようになるため、詳細な検討が可能となる。
【０００８】
本発明の遊技用システムの前記来店状況情報集計手段並びに特典付与状況情報集計手段は、前記来店状況情報並びに特典付与状況情報を、前記遊技者特定情報を送信してきた遊技用装置が対応する遊技機の機種毎に集計し、前記催事情報記憶手段は、前記来店状況情報および特典付与状況情報を前記遊技機の機種毎に記憶することが好ましい。
このようにすれば、遊技機の機種毎に前記来店状況情報並びに特典付与状況情報を把握できるようになり、例えば機種を限定した催事を検討する場合等において、有効な情報を簡便に得ることができる。
【０００９】
本発明の遊技用システムの前記来店状況情報集計手段並びに特典付与状況情報集計手段は、前記来店状況情報並びに特典付与状況情報を所定の時間帯別に集計し、前記催事情報記憶手段は、前記来店状況情報および特典付与状況情報を前記所定の時間帯毎に記憶することが好ましい。
このようにすれば、時間帯別の前記来店状況情報並びに特典付与状況情報を把握できるようになり、例えば時間帯を限定した催事を検討する場合等において、有効な情報を簡便に得ることができる。
【００１０】
本発明の遊技用システムの前記管理装置は、前記送信手段から送信されてきた前記遊技者特定情報に基づいて、該遊技者特定情報に対応する遊技者の同一営業日における来店履歴を記憶するための来店履歴記憶手段を備え、
前記来店状況情報集計手段は、前記送信手段から送信されてきた前記遊技者特定情報に対応する遊技者の来店履歴が、前記来店履歴記憶手段に既に存在するときには、来店状況情報の集計に該遊技者の来店を加えないことが好ましい。
このようにすれば、同一の遊技者が、同一営業日に複数回来店した場合であっても、２回目以降の来店においては、来店状況情報の集計に該２回目以降の来店が加算されないようになるため、正確な来店状況情報を集計できる。
【００１１】
【発明の実施の形態】
図１は本発明が適用された本実施例の遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、カードユニット３にて使用される後述の会員カード（記録媒体）並びにビジターカードの管理等を行うシステムコントローラ１００と、会員カードを所有する会員遊技客の情報や催事（イベント）に関する情報等を管理する管理装置としての会員管理コンピュータ１２０と、から主に構成されており、システムコントローラ１００並びに会員管理コンピュータ１２０とカードユニット３とはハブ（ＨＵＢ）８’（図３参照）並びに通信ケーブル８を介してデータ通信可能に接続されているとともに、システムコントローラ１００と会員管理コンピュータ１２０とは通信ケーブル１０を介してデータ通信可能に接続されている。また、システムコントローラ１００は、通信回線網１１を介して図示しないカード管理会社に設置された管理サーバとデータ通信可能に接続されている。
【００１２】
初めに、本実施例にて用いた記録媒体について説明すると、本実施例では予め会員登録をした会員遊技客に対して発行される会員カードと、カードユニット３に装着されているビジターカードと、の２種類のＩＣカードを記録媒体として用いている。
【００１３】
まず、本発明の記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや遊技者特定情報としての会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記録される。
【００１４】
次いで、ビジターカードについて説明すると、このビジターカードも会員カードと同様に非接触式ＩＣカードが適用されており、その内部メモリには、各ビジターカードを個別に識別可能なカードＩＤ等が書き換え不可に記録されているとともに、前述したカードリーダライタ３２７とのデータ通信により、パチンコ玉の貸出に使用される度数や装着されているカードユニット３の装置ＩＤ等の情報が書き換え可能に記録される。
【００１５】
次いで、本実施例の遊技用装置であるカードユニット３について説明すると、このカードユニット３は、前述のように遊技島に並設される遊技機としてのパチンコ機２に１対１に対応して設置されている。
【００１６】
カードユニット３の前面には、図２に示すように、各種表示部や操作ボタン、紙幣挿入口３０２、硬貨投入口３０３、硬貨返却口３１３、会員カード挿入口３１９、ビジターカード装着口３１８が設けられている。
【００１７】
カードユニット３の前面に設けられる表示部のうち、多機能表示部３０１は、内部に設けられた多機能ＬＥＤ３０１ａの発光態様によりカードユニット３の動作状況等が報知される。本実施例では、多機能表示部３０１が、消灯、青色点灯、青色点滅、赤色点灯、赤色点滅、緑色点灯、緑色点滅、紫色点灯、紫色点滅、水色点灯、水色点滅、黄色点灯、黄色点滅、白色点灯、白色点滅からなる、合計７色、１５態様（消灯含む）の発光態様により各状況が報知される。
【００１８】
また、カードユニット３の前面に設けられた表示部のうち、変更可能表示部３０５は、後述する貸出処理における貸出単位（１回の貸出操作で使用される度数の大きさ）の変更が可能である場合に、その内部に設けられた変更可能ＬＥＤ３０５ａ（図３参照）が点灯する。貸出単位表示部３０７は、前述した貸出単位が内蔵された貸出単位表示器３０７ａ（図３参照）により表示される表示部であり、度数表示部３０９は、会員カードやビジターカードから読み出された度数やエラーコード等が内蔵された度数表示器３０９ａ（図３参照）により表示される表示部である。方向指示表示部３１１は、対応する遊技機の連結方向を示す表示部であり、遊技機と接続されている場合に内部に設けられた方向指示ＬＥＤ３１１ａ（図３参照）が点灯する。挿入中表示部３１２は、会員カードが挿入中である場合に内部に設けられた挿入中ＬＥＤ３１２ａ（図３参照）が点灯する。会員カード用表示部３１４は、受付中の会員カードから特定される貯蓄玉数に基づく再プレイ可能回数等の情報が内蔵された会員カード用表示器３１４ａ（図３参照）により表示される表示部である。
【００１９】
また、カードユニット３の前面に設けられたボタンのうち、硬貨返却ボタン３０４は、硬貨投入口３０３から投入された硬貨が詰まった場合等において、硬貨を返却させる際に押圧するボタンである。貸出単位変更ボタン３０６は、貸出単位を変更する際に押圧するボタンである。端数ボタン３０８は、度数表示部３０９の表示内容を変更表示させる際に押圧するボタンである。テンキー３１５は、暗証番号等の入力を行う際に操作するキーである。プレイ選択ボタン３１６は、度数を用いて遊技を実施するか、若しくは貯蓄玉数を用いて遊技を実施するかを選択する際に押圧するボタンである。エンターボタン３１７は、暗証番号を決定する場合や貯蓄玉数の払戻を実施する際に押圧するボタンである。
【００２０】
また、会員カード挿入口３１９とビジターカード装着口３１８とは、遊技者から見て左右に並設配置されている。会員カード挿入口３１９は、内蔵されるカードリーダライタ３２７（図３参照）の会員カードスロット（図示略）に連設されており、この会員カード挿入口３１９を介して会員カードを会員カードスロットに挿入可能とされている。また、ビジターカード装着口３１８は、カードリーダライタ３２７のビジターカード収容室（図示略）に連設されており、このビジターカード装着口３１８を介してビジターカードをビジターカード収容室に装着可能とされている。
【００２１】
また、ビジターカード収容室にビジターカードが装着された際には、この装着されたビジターカードの先端がビジターカード装着口３１８から突出する態様にて装着されるようになる。また、このビジターカード装着口３１８の前面には、透明カバー部材３１８’が取付けられるようになっており、これによりカードリーダライタ３２７に装着されたビジターカードが、透明カバー部材３１８’を通して視認できるとともに、透明カバー部材３１８’により装着されたビジターカードの抜き取りができない状態とされる。
【００２２】
図３は、カードユニット３の構成を示すブロック図である。カードユニット３は、読み出し手段としてのカードリーダライタ３２７と、制御ユニット３２８と、から主に構成されている。
【００２３】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤや度数の認証等がシステムコントローラ１００との間で行われる。
【００２４】
制御ユニット３２８には、前述した各種ＬＥＤや表示器、スイッチ等の各種電気部品や紙幣識別ユニット３２２、硬貨識別ユニット３２４、が接続されている。
【００２５】
制御ユニット３２８に接続された各種スイッチのうち、貸出単位変更スイッチ３０６ａは、貸出単位変更ボタン３０６の操作を検知するスイッチであり、端数スイッチ３０８ａは、端数ボタン３０８の操作を検知するスイッチであり、テンキースイッチ３１５ａは、テンキーの操作を検知するスイッチであり、プレイ選択スイッチ３１６ａは、プレイ選択ボタン３１６の操作を検知するスイッチであり、エンタースイッチ３１７ａは、エンターボタン３１７の操作を検知するスイッチである。
【００２６】
また、制御ユニット３２８には、特に図示しないが、接続されたパチンコ機２に設けられる貸出ボタン（パチンコ玉の貸出を行う際に操作されるボタン）や返却ボタン（受付け中の会員カードを返却させる際に操作されるボタン）の操作を検知する貸出スイッチや返却スイッチが接続されている。
【００２７】
制御ユニット３２８に接続された紙幣識別ユニット３２２は、紙幣挿入口３０２に投入された紙幣を取り込んでその真贋や紙幣種別の識別を行う。また、硬貨識別ユニット３２４は、硬貨投入口３０３より投入された硬貨の真贋並びに硬貨種別の識別を行う。
【００２８】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００２９】
また、制御ユニット３２８は、対応するパチンコ機２と接続されており、貸出処理に伴う各種の信号の授受が可能に接続されているとともに、制御ユニット３２８には、対応するパチンコ機２からの外部出力信号線が接続可能な信号入力部３３２が接続されており、この信号入力部３３２を介してパチンコ機２から出力される始動信号や、通常の大当り時に出力される大当り信号１、次回の大当りまでの間、大当り確率が向上する特典を有する確率変動大当り時に出力される大当り信号２や、パチンコ玉の打込操作が検出されている際に常時出力される稼働信号が制御ユニット３２８に入力されるようになっている。
【００３０】
また、制御ユニット３２８は、前述したカードリーダライタ３２７とデータ通信可能に接続されており、各種コマンドの送受が実施可能とされているとともに、通信部３３４並びにＨＵＢ８’を介して会員管理コンピュータ１２０とデータ通信可能に接続されており、該会員管理コンピュータ１２０との間において各種情報の送受が実施可能とされている。
【００３１】
本実施例のカードユニット３は、会員カード挿入口３１９に挿入された会員カードの使用の可／不可を判別する受付処理と、この受付処理において受付けられた会員カードより読み出された度数を使用して、対応するパチンコ機２に対してパチンコ玉の貸出を実施させる貸出処理と、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理と、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１８に装着されているビジターカードに記録した後、この記録した度数の全てを使用して対応するパチンコ機２に対してパチンコ玉の貸出を実施させる発行貸出処理、対応するパチンコ機２に対して以前の遊技にて貯蓄した貯蓄玉数のうちの所定数のパチンコ玉の払い戻しを実施させる払戻処理と、を行うようになっている。
【００３２】
次いで、本実施例における管理装置としての会員管理コンピュータ１２０について説明すると、該会員管理コンピュータ１２０は、図４に示すように、コンピュータ内部にてデータの送受を行うデータバス１２１に、この会員管理コンピュータ１２０が実施する各種処理（本発明における催事関連情報設定手段、対象催事特定手段、来店状況情報集計手段、来店状況情報更新手段、抽出条件受付け手段、抽出手段として機能する処理を含む）を行うＣＰＵ１２２、ワークメモリ等として使用されるＲＡＭ１２３、時刻情報やカレンダ情報を出力するＲＴＣ１２４、磁気ディスクや光磁気ディスクから成る記憶装置１２５、キーボードやマウス等の入力装置１２６、各種情報を表示出力する表示装置１２７、各種情報をプリント出力するプリンタ１２８、システムコントローラ１００とのデータ通信を行う第１通信部１２９、カードユニット３とのデータ通信を行う第２通信部１３０、が接続された通常のコンピュータである。
【００３３】
また、前記記憶装置１２５には、会員管理コンピュータ１２０のＣＰＵ１２２が行う各種処理（本発明における催事関連情報設定手段、対象催事特定手段、来店状況情報集計手段、来店状況情報更新手段、抽出条件受付け手段、抽出手段として機能する処理を含む）を実行するための処理プログラムに加えて、会員情報テーブル（図５（ａ）参照）と、イベントテーブル（図５（ｂ）参照）と、台データベース（図６参照）と、会員遊技履歴テーブル（図７参照）と、イベント別履歴テーブル（図８参照）とが記憶されている。
【００３４】
会員情報テーブルには、図５（ａ）に示すように、会員カードの会員ＩＤ毎に、当該会員カードを所有する遊技者の貯蓄玉数と、本人確認のための暗証番号と、来店回数と、来店ポイントと、最後の来店日と、これら来店回数や来店日等に基づく会員ランクと、当該会員カードを所有する遊技者の氏名（名字並びに名前）、性別、年齢、誕生日、職業、住所からなる会員遊技客の属性情報と、が登録されている。
【００３５】
イベントテーブルには、図５（ｂ）に示すように、各イベント毎に付与されたイベントＮｏ．（最初の２桁は該イベントの実施される西暦年の下位２桁を示し、次の２桁は実施月を示し、ハイフン以下は、その月に実施されたイベントに順次付与されたシリアル番号である）毎に、イベント名と、その実施期間と、実施時間と、当該イベントの実施期間中であるか否か、すなわち当該イベントが本日実施されるイベントであるか否かを示す実施期間中フラグ（当該イベントの実施期間中である場合には「Ｙｅｓ」が登録され、当該イベントが有効とされるとともに、当該イベントの実施期間中ではない場合には「Ｎｏ（完了）」或いは「Ｎｏ（未実施）」が登録されて当該イベントが無効とされる）と、対象条件（全員、女性会員、来店回数５０回以上の会員、来店Ｐｔ．５０Ｐｔ．以上等）と、対象となるパチンコ機２の機種（全機種、全ＣＲ機、機種ＸＸや機種ＹＹ等）と、イベント対象者に対する特典（無制限、粗品進呈、台移動可等）と、該特典の付与の実施を判定するタイミング（大当り発生時、遊技開始時）である特典付与判定時からなる催事関連情報としてのイベントデータが登録されている。
【００３６】
また、前記台データベースには、図６に示すように、パチンコ機２に固有に付与された台番号に対応付けて、各パチンコ機２の機種と、該パチンコ機２に対応して設けられているカードユニット３の装置ＩＤと、前回の大当りからの始動回数と、その日に営業が開始されてからのパチンコ機２における総始動回数と、営業が開始されてから現時点までの大当り回数と、大当り回数のうち確率変動大当りの回数とが登録されている。
【００３７】
また、前記会員遊技履歴テーブルには、図７に示すように、営業当日の各会員の遊技履歴が登録されるようになっており、各会員遊技者が前記カードユニット３に自己の会員カードを挿入して玉貸操作を実施することで、該玉貸が実施されたカードユニット３の装置ＩＤと、その時刻（遊技１のみ）と、該カードユニット３にて玉貸に使用された使用度数とが、１遊技履歴として登録されるようになっており、各会員が当該営業日において遊技に使用した総額を把握できるようになっているとともに、該会員遊技履歴テーブルに既に遊技履歴の登録がある場合における、遊技２或いは遊技３の履歴登録に際しては、該会員遊技者が当該営業日において実施しているイベントの対象者であっても、イベント対象者数に加算しないようになっている。更に、会員遊技履歴テーブルには、当該会員を特典付与対象者として加算したか否かを示す特典付与フラグが登録されるようになっていて、この特典付与フラグの登録の有無判定により、同一の会員が特典付与対象者として複数回加算されることを無くすことができことで、正確な特典付与対象者数の把握が可能となる。
【００３８】
イベント別履歴テーブルには、図８に示すように、各イベントＮｏ．毎、、各開催日毎に、年月日、曜日、当該開催日に会員登録している会員遊技者の内、当該イベントの対象者の数であるイベントの対象者数が集計、登録される。また、各イベント毎に、機種別の項目が設けられているとともに、該各機種の各項目毎に時間帯の項目が設けられていて、各機種別並びに時間帯別に、来店したイベント対象者数や、来店率（終日のみ）、特典付与対象者数、並びに特典付与率が集計、算出されて登録されている。
【００３９】
尚、本実施例では、前記機種の項目としては、各イベントの対象機種の設定に基づき、各機種ＸＸや機種ＹＹ等の各機種毎のデータとともに、全機種や全ＣＲ機のように、機種全般を含む項目が設けられている。
【００４０】
また、本実施例では、前記時間帯として１０〜１３時、１３〜１６時、１６〜１９時、１９〜２３時、終日の項目を設けているが、本発明はこれに限定されるものではなく、これらの時間帯等は適宜に設定すれば良い。
【００４１】
尚、本実施例におけるイベント対象者数は、当該イベントの実施日において会員登録している会員遊技者の内、イベント対象である会員の総数であり、来店対象者数は、各機種毎の各時間帯において実際に来店した会員の内、イベント対象と判定された会員遊技者の数であり、来店率（％）は、前記イベント対象者数に対する来店対象者数の割合（来店対象者数／イベント対象者数）であり、特典付与対象者数は、前記来店対象者数の内、例えば特典が無制限である場合に、遊技にて大当りが発生することで該特典である無制限が実際に付与された会員遊技者の総数であり、特定付与率は、前記来店対象者数に対する特典付与対象者数の割合（特典付与対象者数／来店対象者数）である。
【００４２】
本実施例の会員管理コンピュータ１２０の表示装置１２７には、前記会員情報テーブルへの新規会員情報の登録や既に登録されている会員情報の変更等を実施するための会員登録／変更画面（図示略）や、前記イベントテーブル（図５（ｂ））に登録されるイベントに関するイベントデータの登録または変更を実施するためのイベント設定画面（図９参照）が表示可能とされており、これら各設定画面を表示して必要事項の入力または変更を行うことで、前記各テーブルの登録データを更新することが可能とされている。
【００４３】
本実施例のイベント設定画面においては、図９に示すように、イベントテーブルに現在登録されているイベントデータが各イベントＮｏ．毎に表示されるイベントテーブル表示エリアと、既存のイベントデータの変更、新規に登録するイベントデータの設定を実施可能とされたイベント設定エリアと、が設けられている。このイベント設定画面において「新規作成」を入力し、イベント設定エリアにおいて、新規に登録するイベント名と、当該イベントの実施期間と、実施時間と、イベント対象となる遊技客の対象条件と、イベント対象となる対象機種と、当該イベントにより提供される特典と、特典付与判定の実施時と、からなるイベントデータを入力した後、「登録」を入力することで、新規イベントＮｏ．（最初の２桁は該イベントの実施される西暦年の下位２桁を示し、次の２桁は実施月を示し、ハイフン以下は、その月に実施されたイベントに順次付与されたシリアル番号である）が発行されるとともに、該イベントＮｏ．に対応して、これらイベント設定エリアに入力された各項目のイベントデータがイベントテーブルに登録されるとともに、イベントテーブル表示エリアに、登録されたイベントデータが追加表示されるようになっている。
【００４４】
また、イベントテーブル表示エリアに表示された任意のイベントＮｏ．を指定し、「変更」を入力するとイベント設定エリアには既に登録されているイベントデータが表示され、イベント設定エリアにおいて、イベントデータを変更入力した後、「登録」を入力することで、イベントテーブルにおいて登録されている指定されたイベントＮｏ．のイベントデータが、変更入力されたイベントデータに更新されるとともに、イベントテーブル表示エリアに表示されている当該イベントＮｏ．のイベントデータも更新されるようになっている。
【００４５】
また、イベントテーブル表示エリアに表示された任意のイベントＮｏ．を指定し、「期間変更」を入力するとイベント設定エリアには既に登録されているイベントデータのうち実施期間のみが変更可能に表示され、イベント設定エリアにおいて、実施期間を変更入力した後、「登録」を入力することで、イベントテーブルにおいて登録されている指定されたイベントＮｏ．のイベントデータのうち実施期間が変更入力された実施期間に更新されるとともに、イベントテーブル表示エリアに表示されている当該イベントＮｏ．のイベントデータも更新されるようになっている。
【００４６】
また、イベントテーブル表示エリアに表示された任意のイベントＮｏ．を指定し、「削除」を入力することで、イベントテーブルにおいて登録されている指定されたイベントＮｏ．並びに当該イベントＮｏ．のイベントデータが削除されるとともに、イベントテーブル表示エリアに表示されている当該イベントＮｏ．並びに当該イベントＮｏ．のイベントデータ並びにイベント履歴も削除されるようになっている。尚、これら登録されているイベントの期間は、本実施例では６ヶ月前のイベントのデータを把握できるように、その時点の月から６ヶ月前の月のイベントの履歴が残るように、イベントの実施から７ヶ月を過ぎた時点で、該イベントの登録が自動的に削除されるようになっている。
【００４７】
図１３は、カードユニット３から会員管理コンピュータ１２０に対して送信される情報を示す図である。
【００４８】
図１３に示すように、カードユニット３は、会員カードを受付けた際に、受付けた会員カードから読み出した会員ＩＤ、並びに該カードユニット３を個々に識別可能に付与された装置ＩＤを含む会員カード受付通知を会員管理コンピュータ１２０に対して、前記通信部３３４から送信する。また、会員カードが返却された際に、返却された会員カードの会員ＩＤ並びに装置ＩＤを含む会員カード返却通知を会員管理コンピュータ１２０に対して送信する。
【００４９】
また、対応するパチンコ機２からの稼働信号を検出した際に、装置ＩＤを含む稼働通知を会員管理コンピュータ１２０に対して送信し、対応するパチンコ機２からの稼働信号が非検出状態となった際に、装置ＩＤを含む非稼働通知を会員管理コンピュータ１２０に対して送信する。
【００５０】
また、対応するパチンコ機２からの大当り１信号を検出した際に、装置ＩＤを含む大当り発生通知を会員管理コンピュータ１２０に対して送信し、対応するパチンコ機２からの大当り１信号が非検出状態となった際に、装置ＩＤを含む大当り終了通知を会員管理コンピュータ１２０に対して送信ことで、会員管理コンピュータ１２０がパチンコ機２にて大当りが発生したことともに、大当り状態が終了したことを把握できるようになっており、前記大当り発生通知に基づいて、前記台データベースの大当り回数に１が加算更新される。
【００５１】
また、対応するパチンコ機２からの大当り２信号を検出した際に、装置ＩＤを含む確変大当り発生通知を会員管理コンピュータ１２０に対して送信し、対応するパチンコ機２からの大当り１信号が非検出状態となった際に、装置ＩＤを含む確変大当り終了通知を会員管理コンピュータ１２０に対して送信することで、会員管理コンピュータ１２０がパチンコ機２にて確変大当りが発生したことともに、確変大当り状態が終了したことを把握できるようになっており、前記確変大当り発生通知に基づいて、前記台データベースの確変回数に１が加算更新される。
【００５２】
また、対応するパチンコ機２からの始動信号を検出した際には、該始動回数に１を加算し、該始動回数を所定時間間隔毎に、装置ＩＤとともに会員管理コンピュータ１２０に対して送信することで、前記台データベースの総始動回数や大当間始動回数が更新される。
【００５３】
また、会員管理コンピュータ１２０では、これらカードユニット３から送信される各種情報に基づいて前記会員遊技履歴テーブル（図７参照）並びにイベント別履歴テーブル（図８参照）の更新を行う。具体的には、会員カードの挿入に伴ってカードユニット３から送信される会員カード受付通知を受信することで、受信した会員カード受付通知に含まれる装置ＩＤを前記会員遊技履歴テーブルに登録する。この際、既に同一の会員ＩＤが登録されている場合には、該登録の遊技２以降に装置ＩＤを登録する。
【００５４】
一方、会員遊技履歴テーブルに同一の会員ＩＤが登録されていない場合には、新規に会員ＩＤを登録するとともに、遊技１に装置ＩＤとその時点での時刻とを登録した後、前記受信した会員カード受付通知に含まれる会員ＩＤに基づき、当該会員ＩＤの会員カードを所持する会員遊技客に関する情報を前記会員情報テーブル（図５（ａ）参照）の登録データから特定し、特定した会員遊技客の情報に基づき、当該会員遊技者が当該営業日において実施中のイベントのイベント対象条件に合致しているか否かを判定する。言い換えれば、当該営業日において実施中のイベントのうち、当該会員遊技者がイベント対象条件を満たしているイベントを特定する。
【００５５】
該判定において、当該会員遊技者が当該営業日において実施中のイベントのイベント対象条件に合致している場合には、前記にて受信した会員カード受付通知に含まれる装置ＩＤと前記台データベースの登録内容とから、会員カード受付通知を送信したカードユニット３が対応するパチンコ機２の機種を特定し、前記イベント別履歴テーブルの当該イベントの登録における、前記特定した機種中および全機種中の該当時間帯並びに終日の来店対象者数に１を加算するとともに、終日の項目については来店率（％）を算出して更新する。
【００５６】
その際、当該イベントの特典付与判定時を前記イベントテーブル（図５（ｂ））の登録内容から特定し、該特定した特典付与判定時の元となる通知、具体的には、特典付与判定時が大当り発生時であれば、前記大当り発生通知或いは確変大当り発生通知、特典付与判定時が遊技開始時であれば稼働通知の受信を監視し、特典の付与が行われたか否かの判定を行う。
【００５７】
例えば、特典付与判定時が大当り発生時のイベントであれば、大当り発生通知あるいは確変大当り発生通知を受信した場合に、該通知に含まれる装置ＩＤに対応する会員ＩＤを、前記会員遊技履歴テーブルから特定し、該特定した会員ＩＤに対応する特典付与フラグがセットされているか否か（本実施例では特典付与不ラブが１か否か）を判定する。
【００５８】
特典付与フラグがセットされていれば処理を終了するが、特典付与フラグがセットされていなければ、前記会員遊技履歴テーブルにおいて前記会員ＩＤに対応して遊技１に登録されている時刻を特定するとともに、前記装置ＩＤと前記台データベースの登録内容とから当該通知を送信したカードユニット３が対応するパチンコ機２の機種を特定する。
【００５９】
次に、前記イベント別履歴テーブルの当該イベントの登録における、前記特定した機種中および全機種中の前記遊技１に登録されている時刻が該当する時間帯並びに終日の特典付与対象者数に１を加算するとともに、該加算した当該時間帯並びに終日の特典付与率を算出、更新する。
【００６０】
このようにして特典付与対象者数を集計、更新することにより、同一の会員遊技者が特典付与対象者数として複数回加算されてしまうことがなくなり、正確な特典付与対象者数を把握できる。
【００６１】
本実施例の会員管理コンピュータ１２０の表示装置１２７には、図１０に示す抽出条件指定画面が表示されるようになっており、該抽出条件指定画面において、抽出対象とするイベントに関する情報（催事関連情報）を入力、指定することで、指定された抽出条件に合致するイベントが抽出されて、図１１に示すように、抽出結果として表示装置１２７に表示される。
【００６２】
この本実施例の抽出条件指定画面には、図１０に示すように、対象とする期間を設定するための抽出対象期間の項目と、抽出するイベントが実施された週を指定するための週指定項目、抽出するイベントが実施された曜日や祝日であるか否かを指定するための曜日指定項目、抽出するイベントのイベント名を選択指定するためのイベント名指定項目、抽出するイベントの対象条件を指定するための対象条件指定の項目、抽出するイベントが対象とする機種を指定するための機種指定の項目、抽出するイベントにて付与される特典を指定するための特典指定の項目が設けられていて、各項目から抽出したいイベントが該当する内容を選択した後、「検索実行」の選択入力部を選択入力することで、選択指定された抽出条件に合致するイベントが、前記イベントテーブル（図５（ｂ）参照）の登録データに基づいて特定、抽出され、該抽出された各イベントの対象者数、来店対象者数、来店率、特典付与対象者数、特典付与率の各データが、前記イベント別履歴テーブルより読み出されて、図１１の抽出結果画面に示すように、各イベント毎に一覧表示される。
【００６３】
この図１１に示す本実施例の抽出結果画面には、各イベント毎に「詳細」のチェック欄が設けられており、一覧表示されたイベントの中のイベントについて、より詳細な内容を確認したい場合には、詳細な内容を確認したいイベントに対応する「詳細」のチェック欄を選択した後、抽出結果画面の下部に設けられている「詳細表示」の選択入力部を選択入力することで、図１２に示すように、前記イベント別履歴テーブルに登録されている該選択したイベントの機種別、時間帯別の詳細なデータが表示されるようになっている。
【００６４】
以上、本実施例の遊技用システムによれば、前記抽出条件受付け手段を構成する抽出条件指定画面にて抽出条件を指定することで、過去に開催した催事（イベント）の中から指定した抽出条件に合致する催事（イベント）が抽出されて、該抽出された催事（イベント）の来店状況である来店対象者数や来店率が前記出力手段である表示装置１２７に出力されるようになるため、新規の催事（イベント）を検討する上で、有用な情報を簡便に把握することができ、例えば、特典付与対象者数や特典付与率が低い場合には、イベントの対象条件を緩める等の対策を実施することが必要である等の対策を行う必要があることを、簡便に把握することができるようになる。
【００６５】
前記実施例における各要素は、本発明に対して以下のように対応している。
本発明の請求項１は、遊技者を個々に特定可能な遊技者特定情報（会員ＩＤ）に対応付けて該遊技者に関する遊技者関連情報が記憶された遊技者関連情報記憶手段（記憶装置１２５；会員情報テーブル）と、催事対象者となる条件を含む催事関連情報を設定するための催事関連情報設定手段（ＣＰＵ１２２、イベント設定画面）と、少なくとも該催事関連情報設定手段（ＣＰＵ１２２、イベント設定画面）にて設定された催事関連情報および各催事における催事対象者の来店状況情報を各催事毎に記憶する催事情報記憶手段（記憶装置１２５；イベントテーブル、イベント別履歴テーブル）と、を有する管理装置（会員管理コンピュータ１２０）と、遊技機（パチンコ機２）に対応して設けられ、前記遊技者特定情報（会員ＩＤ）が記録された記録媒体（会員カード）を受付けて該記録情報の読み出しを行う読み出し手段（カードリーダライタ３２７）と、該読み出し手段（カードリーダライタ３２７）により読み出された前記遊技者特定情報（会員ＩＤ）を前記管理装置（会員管理コンピュータ１２０）に送信する送信手段（通信部３３４）とを備える遊技用装置（カードユニット３）と、から成る遊技用システムにおいて、前記管理装置（会員管理コンピュータ１２０）は、前記送信手段（通信部３３４）から送信されてきた前記遊技者特定情報（会員ＩＤ）と前記遊技者関連情報記憶手段（記憶装置１２５；会員情報テーブル）の記憶情報に基づいて、該遊技者が前記催事情報記憶手段（記憶装置１２５；イベントテーブル、イベント別履歴テーブル）に記憶されている催事対象条件を満たしている催事を特定する対象催事特定手段（ＣＰＵ１２２、処理プログラム）と、該対象催事特定手段（ＣＰＵ１２２、処理プログラム）にて特定した催事の来店状況情報を集計する来店状況情報集計手段（ＣＰＵ１２２、処理プログラム）と、該来店状況情報集計手段（ＣＰＵ１２２、処理プログラム）による集計結果に基づいて、前記催事情報記憶手段（記憶装置１２５；イベント別履歴テーブル）に記憶されている当該催事の来店状況情報を更新する来店状況情報更新手段（ＣＰＵ１２２、処理プログラム）と、前記催事関連情報に関する抽出条件を受付けるための抽出条件受付け手段（ＣＰＵ１２２、検索条件設定画面）と、該抽出条件受付け手段（ＣＰＵ１２２、検索条件設定画面）にて受付けた抽出条件に合致する催事を前記催事情報記憶手段（記憶装置１２５；イベントテーブル）に記憶されている各催事から抽出する抽出手段（ＣＰＵ１２２、処理プログラム）と、前記催事情報記憶手段（記憶装置１２５；イベントテーブル、イベント別履歴テーブル）に記憶されている該抽出手段（ＣＰＵ１２２、処理プログラム）にて抽出した催事の来店状況情報を出力する出力手段（表示装置１２７）と、を備える。
【００６６】
本発明の請求項２は、前記催事情報記憶手段（記憶装置１２５；イベントテーブル、イベント別履歴テーブル）は、各催事における催事対象者への特典付与状況情報を各催事毎に記憶し、前記管理装置（会員管理コンピュータ１２０）は、前記対象催事特定手段（ＣＰＵ１２２、処理プログラム）にて特定した催事の特典が、当該催事の対象者に付与されたか否か判定する特典付与判定手段（ＣＰＵ１２２、処理プログラム）と、該特典付与判定手段（ＣＰＵ１２２、処理プログラム）の判定結果に基づいて、各催事における特典付与状況情報を各催事毎に集計する特典付与状況情報集計手段（ＣＰＵ１２２、処理プログラム）と、該特典付与状況情報集計手段（ＣＰＵ１２２、処理プログラム）による集計結果に基づいて、前記催事情報記憶手段（記憶装置１２５；イベント別履歴テーブル）に記憶されている当該催事の特典付与状況情報を更新する特典付与状況情報更新手段（ＣＰＵ１２２、処理プログラム）と、を備え、前記出力手段（表示装置１２７）は、前記催事情報記憶手段（記憶装置１２５；イベント別履歴テーブル）に記憶されている、前記抽出手段（ＣＰＵ１２２、処理プログラム）にて抽出した催事の特典付与状況を出力する。
【００６７】
本発明の請求項３は、前記来店状況情報集計手段（ＣＰＵ１２２、処理プログラム）並びに特典付与状況情報集計手段（ＣＰＵ１２２、処理プログラム）は、前記来店状況情報並びに特典付与状況情報を、前記遊技者特定情報（会員ＩＤ）を送信してきた遊技用装置（カードユニット３）が対応する遊技機（パチンコ機２）の機種毎に集計し、前記催事情報記憶手段（記憶装置１２５；イベント別履歴テーブル）は、前記来店状況情報および特典付与状況情報を前記遊技機の機種毎に記憶する。
【００６８】
本発明の請求項４は、前記来店状況情報集計手段（ＣＰＵ１２２、処理プログラム）並びに特典付与状況情報集計手段（ＣＰＵ１２２、処理プログラム）は、前記来店状況情報並びに特典付与状況情報を所定の時間帯別に集計し、前記催事情報記憶手段（記憶装置１２５；イベント別履歴テーブル）は、前記来店状況情報および特典付与状況情報を前記所定の時間帯毎に記憶する。
【００６９】
本発明の請求項５は、前記管理装置（会員管理コンピュータ１２０）は、前記送信手段（通信部３３４）から送信されてきた前記遊技者特定情報（会員ＩＤ）に基づいて、該遊技者特定情報（会員ＩＤ）に対応する遊技者の同一営業日における来店履歴を記憶するための来店履歴記憶手段（記憶装置１２５、会員遊技履歴テーブル）を備え、前記来店状況情報集計手段（ＣＰＵ１２２、処理プログラム）は、前記送信手段（通信部３３４）から送信されてきた前記遊技者特定情報（会員ＩＤ）に対応する遊技者の来店履歴が、前記来店履歴記憶手段（記憶装置１２５、会員遊技履歴テーブル）に既に存在するときには、来店状況情報の集計に該遊技者の来店を加えない。
【００７０】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００７１】
例えば、前記実施例の会員管理コンピュータ１２０では、来店状況情報である来店対象者数や来店率の情報に加えて、特典付与状況情報である実際に特典が付与された特典付与対象者数や特典付与率を集計して、該特典付与対象者数や特典付与率の情報を、前記抽出結果画面や詳細画面において表示するようにしており、このようにすることは、来店状況のみならず、実際に特典が付与された特典付与状況をも把握できるようになるため、例えば、特典付与対象者数や特典付与率が低い場合には、イベントの対象条件を緩める等の対策を実施することが必要である等の対策を行う必要があることを、簡便に把握することができるようになる等の詳細な検討が可能となることから好ましいが、本発明はこれに限定されるものではなく、これら特典付与状況情報である特典付与対象者数や特典付与率の集計、算出や、表示を実施しない構成としても良い。
【００７２】
また、前記実施例の会員管理コンピュータ１２０では、来店状況情報である来店対象者数や来店率並びに特典付与状況情報である特典付与対象者数や特典付与率を、遊技機の機種毎に集計するようにしており、このようにすることは、遊技機の機種毎に前記来店状況情報並びに特典付与状況情報を把握できるようになり、例えば機種を限定した催事を検討する場合等において、有効な情報を簡便に得ることができることから好ましいが、本発明はこれに限定されるものではなく、これら遊技機の機種毎に来店対象者数や来店率並びに特典付与対象者数や特典付与率を集計しない構成としても良い。
【００７３】
また、前記実施例の会員管理コンピュータ１２０では、来店状況情報である来店対象者数や来店率並びに特典付与状況情報である特典付与対象者数や特典付与率を、所定の時間帯別に集計するようにしており、このようにすることは、時間帯別の前記来店状況並びに特典付与状況を把握できるようになり、例えば時間帯を限定した催事を検討する場合等において、有効な情報を簡便に得ることができることから好ましいが、本発明はこれに限定されるものではなく、これら時間帯別に来店対象者数や来店率並びに特典付与対象者数や特典付与率を集計しない構成としても良い。
【００７４】
また、前記実施例の会員管理コンピュータ１２０では、来店履歴記憶手段として会員遊技履歴テーブルを有し、該会員遊技履歴テーブルに遊技１の登録が無い場合においてのみ来店状況である来店対象者数に該来店による１を加算し、会員遊技履歴テーブルに遊技１の登録が既にある場合には、来店状況である来店対象者数に該来店を加えないようにしており、このようにすることは、同一の遊技者が、同一営業日に複数回来店した場合であっても、２回目以降の来店においては、来店状況の集計に該２回目以降の来店が加算されないようになるため、正確な来店状況を集計できることから好ましいが、本発明はこれに限定されるものではなく、前記来店履歴記憶手段として会員遊技履歴テーブルを有しない構成として、２回目以降の来店かどうかの判定を実施することなく、一義的に複数回来店であっても来店対象者数に加算するようにしても良い。
【００７５】
また、前記実施例では、イベントテーブルとイベント別履歴テーブルとを個別のものとしているが、本発明はこれに限定されるものではなく、これら双方のテーブルを１つのものとした構成としても良い。
【００７６】
また、前記実施例では、特典の付与の完了を会員管理コンピュータ１２０が、大当り発生時や遊技開始時において、カードユニット３からの各種通知に基づいて一義的に判定するようにしているが、本発明はこれに限定されるものではなく、例えばカードユニット３にリモコンの受信部を設けておき、特典の付与を実施した店員等が特典の付与が完了した際に、所持しているリモコンを操作することで、特典の付与の完了をカードユニット３に入力し、該入力に基づいて、特典の付与完了通知が会員管理コンピュータ１２０に送信されるようにしても良い。
【００７７】
また、前記実施例では、前記詳細表示画面において、各機種の集計と、全機種の集計とを同時に表示するようにしているが、本発明はこれに限定されるものではなく、これら各機種の集計と全機種の集計とを個別に表示するようにしても良く、これら詳細表示の形態は適宜に選択すれば良い。
【００７８】
また、前記実施例では、遊技機の一例としてパチンコ玉を用いて遊技を行う通常のパチンコ機を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のスロットマシン等の遊技機、更には、これら遊技機を併用して適用しても良い。
【００７９】
【発明の効果】
本発明は次の効果を奏する。
（ａ）請求項１の発明によれば、前記抽出条件受付け手段にて抽出条件を指定することで、過去に開催した催事の中から指定した抽出条件に合致する催事が抽出されて、該抽出された催事の来店状況が前記出力手段に出力されるようになるため、新規の催事を検討する上で、有用な情報を簡便に把握することができる。
【００８０】
（ｂ）請求項２の発明によれば、前記抽出条件受付け手段にて指定した抽出条件に合致する催事の来店状況情報のみならず、実際に催事の特典が付与された特典付与状況情報をも把握できるようになるため、詳細な検討が可能となる。
【００８１】
（ｃ）請求項３の発明によれば、遊技機の機種毎に前記来店状況情報並びに特典付与状況情報を把握できるようになり、例えば機種を限定した催事を検討する場合等において、有効な情報を簡便に得ることができる。
【００８２】
（ｄ）請求項４の発明によれば、時間帯別の前記来店状況情報並びに特典付与状況情報を把握できるようになり、例えば時間帯を限定した催事を検討する場合等において、有効な情報を簡便に得ることができる。
【００８３】
（ｅ）請求項５の発明によれば、同一の遊技者が、同一営業日に複数回来店した場合であっても、２回目以降の来店においては、来店状況情報の集計に該２回目以降の来店が加算されないようになるため、正確な来店状況情報を集計できる。
【図面の簡単な説明】
【図１】本発明の実施例における管理装置としての会員管理コンピュータが適用された遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例における会員管理コンピュータの構成を示すブロック図である。
【図５】（ａ）、本発明の実施例に用いた会員管理コンピュータのイベントＤＢを構成する会員情報テーブル、（ｂ）は、イベントＤＢを構成するイベントテーブルの登録状況を示す図である。
【図６】本発明の実施例に用いた会員管理コンピュータの台データベースの登録状況を示す図である。
【図７】本発明の実施例に用いた会員管理コンピュータの会員遊技履歴テーブルの登録状況を示す図である。
【図８】本発明の実施例に用いた会員管理コンピュータのイベント別履歴テーブルの登録状況を示す図である。
【図９】本発明の実施例に用いた会員管理コンピュータに表示されるイベント設定画面を示す図である。
【図１０】本発明の実施例に用いた会員管理コンピュータに表示される抽出条件指定画面を示す図である。
【図１１】本発明の実施例に用いた会員管理コンピュータに表示される抽出結果画面を示す図である。
【図１２】本発明の実施例に用いた会員管理コンピュータに表示される詳細表示画面を示す図である。
【図１３】本発明の実施例に用いたカードユニットから会員管理コンピュータに対して送信される情報を示す図である。
【符号の説明】
２        カードリーダ式パチンコ機
３        カードユニット
１００    システムコントローラ
１２０    会員管理コンピュータ
１２２    ＣＰＵ
１２５    記憶装置
１２６    入力装置
１２７    表示装置
３２７    カードリーダライタ
３２８    制御ユニット
３３４    通信部
【図１】
2004216063.tif 000003
【図２】
2004216063.tif 000004
【図３】
2004216063.tif 000005
【図４】
2004216063.tif 000006
【図５】
2004216063.tif 000007
【図６】
2004216063.tif 000008
【図７】
2004216063.tif 000009
【図８】
2004216063.tif 000010
【図９】
2004216063.tif 000011
【図１０】
2004216063.tif 000012
【図１１】
2004216063.tif 000013
【図１２】
2004216063.tif 000014
【図１３】
2004216063.tif 000015